(57)【要約】【課題】  おやすみモード中に特定の電話番号からの着信があった場合に、複数の端末に対して着信音の鳴動を許可するコードレス電話装置を提供する。【解決手段】  親機と、当該親機と無線接続可能な複数の子機とからなり、予め設定した時間帯には着信音の鳴動を禁止する機能を有するコードレス電話装置であり、前記予め設定した時間帯における着信であっても着信音の鳴動を許可する電話番号を登録する電話番号登録機能と、当該電話番号登録機能により登録された電話番号と前記親機及び／又は前記子機とを対応付けて登録する端末登録機能と、を有し、前記予め設定した時間帯であっても、前記電話番号登録機能により登録された電話番号からの着信であれば、前記電話番号に対応する前記端末登録機能により登録された親機及び／又は子機のみからの着信音の鳴動を許可する。【選択図】  図６
2012070290.tif 000002
【特許請求の範囲】
【請求項１】
親機と、当該親機と無線接続可能な複数の子機とからなり、予め設定した時間帯には着信音の鳴動を禁止する機能を有するコードレス電話装置であり、
前記予め設定した時間帯における着信であっても着信音の鳴動を許可する電話番号を登録する電話番号登録機能と、当該電話番号登録機能により登録された電話番号と前記親機及び／又は前記子機とを対応付けて登録する端末登録機能と、を有し、
前記予め設定した時間帯であっても、前記電話番号登録機能により登録された電話番号からの着信であれば、前記電話番号に対応する前記端末登録機能により登録された親機及び／又は子機のみからの着信音の鳴動を許可することを特徴とするコードレス電話装置。
【発明の詳細な説明】
【技術分野】
【０００１】
本発明は、親機と当該親機と無線接続可能な子機とからなるコードレス電話装置に関するものである。
【背景技術】
【０００２】
現在市販されている電話機には、深夜といった就寝中にあった着信に対しては着信音を鳴動させない機能を設けた電話機が存在する。ユーザはこの機能を使用することによって睡眠が妨害されることを回避することが可能となる。
【０００３】
しかしながら、この機能を使用すると、緊急の相手先からの着信に対しても着信音が鳴動されないために、緊急の着信に対して直ちに応答できないという問題があった。
【０００４】
このような問題を解決するために、例えば、引用文献１では、着信の際に着信音が鳴動しない非鳴動モードに設定している状態であっても緊急の相手先から着信があった際は、強制的に着信音を鳴動するようにした通信端末装置が記載されている。
【先行技術文献】
【特許文献】
【０００５】
【特許文献１】特開平６−３２６７６６号公報
【発明の概要】
【発明が解決しようとする課題】
【０００６】
しかしながら、上記特許文献１に記載の技術では、着信音非鳴動モード中であっても強制的に着信音を鳴動させるので、例えば、親機と複数の子機で構成されるコードレス電話装置においては、全ての子機と親機で着信音の鳴動がなされてしまう。
【０００７】
例えば、家族でコードレス電話を使用している場合には、緊急の相手先からの着信があっても、間違えて電話をかけてくる場合や、家族の特定の人間にだけ緊急である旨を連絡すれば良い場合もあり、このような場合であっても、全ての子機と親機で着信音が鳴動されれば家族全員が夜中に起こされてしまい、不便であった。
【課題を解決するための手段】
【０００８】
本発明はこのような課題を解決するためのものであり、例えば、深夜に緊急の相手先からの着信があっても、特定の子機（又は親機）のみ着信音の鳴動を許可し、他の子機（又は親機）には着信音の鳴動を許可しないようにするものである。より具体的には、例えば赤ちゃんといった夜中に起きられては困る家族の一員が寝ている部屋の子機の着信音は、緊急の相手先からの着信であっても鳴動しないようにし、一方、お父さんやお母さんといった緊急の相手先からの着信に対しては必ず応答すべき家族の一員が寝ている部屋の子機（又は親機）の着信音は、緊急の相手先からの着信があると必ず鳴動させるようにしている。
【０００９】
本発明は、親機と、当該親機と無線接続可能な複数の子機とからなり、予め設定した時間帯には着信音の鳴動を禁止する機能を有するコードレス電話装置であり、前記予め設定した時間帯における着信であっても着信音の鳴動を許可する電話番号を登録する電話番号登録機能と、当該電話番号登録機能により登録された電話番号と前記親機及び／又は前記子機とを対応付けて登録する端末登録機能と、を有し、前記予め設定した時間帯であっても、前記電話番号登録機能により登録された電話番号からの着信であれば、前記電話番号に対応する前記端末登録機能により登録された親機及び／又は子機のみからの着信音の鳴動を許可することを特徴とする。
【発明の効果】
【００１０】
本発明では、特定の時間帯に特定の相手からの着信に対しては着信音の鳴動を許可する親機、子機を設定することが可能である。このため、より具体的には、夜中に着信音が鳴って困る家族の一員（例えば赤ちゃん）のいる部屋に対しては着信音を鳴動させず、一方、緊急の相手先からの着信に対しては必ず応答する必要のある家族の一員（例えばお父さん、お母さん）のいる部屋に対しては着信音を鳴動させることが可能である。
【図面の簡単な説明】
【００１１】
【図１】本発明の実施例に係るコードレス電話装置の外観図である。
【図２】本発明の実施例に係る親機２０のブロック図である。
【図３】本発明の実施例に係る子機３０〜５０のブロック図である。
【図４】本発明の実施例に係る親機２０のＲＡＭ２４３に格納されている情報を説明するための図ある。
【図５】本発明の実施例に係る親機２０の各種設定手順を示すフロー図である。
【図６】本発明の実施例に係るおやすみモードを起動中に予め設定した電話番号からの着信があった際の親機２０の動作フロー図である。
【発明を実施するための形態】
【００１２】
以下、本発明を適用してなる実施例装置であるコードレス電話装置について説明する。尚、本実施例装置は、本発明の技術思想を具体化するためのデジタルコードレス電話装置について例示しているが、その他のアナログコードレス電話装置、或いはコードレス電話の機能を搭載したファクシミリ装置等にも同様に本発明を適用することが可能である。
【実施例】
【００１３】
本発明を適用してなる実施例装置であるコードレス電話装置１０は、図１に示すように親機２０と、当該親機２０と無線接続可能な子機３０、４０、５０とからなる。
【００１４】
次に、コードレス電話装置１０を構成する親機と子機の回路構成について図２、図３を用いて説明する。尚、図２は親機２０の回路構成を示すブロック図であり、図３は子機３０の回路構成を示すブロック図である。
【００１５】
電話回線制御部２１は、公衆回線Ｌと接続されており、公衆回線Ｌの極性反転の検出、公衆回線Ｌからの着信信号の検出、公衆回線ＬへのＤＴＭＦ（Ｄｕａｌ  Ｔｏｎｅ  Ｍｕｌｔｉ  Ｆｒｅｑｕｅｎｃｙ）信号やパルスダイヤル信号からなる電話番号の送出を行うものである。更には、回線Ｌからの発呼側電話番号の情報の受信も行う。
【００１６】
音声信号処理部２２は、例えばＤＳＰ（Ｄｉｇｉｔａｌ  Ｓｉｇｎａｌ  Ｐｒｏｃｅｓｓｏｒ）からなり、電話回線制御部２１、制御部２４、ハンドセット２５、スピーカー２５５、マイク２５６と接続され、電話回線制御部２１を介して公衆回線Ｌから受信した音声信号をハンドセット２５、スピーカー２５５に送出する機能や、ハンドセット２５、マイク２５６から入力した音声信号を電話回線制御部２１へ送出する機能、無線部２３にて受信し復調した音声信号を入力し電話回線制御部２１へ送出する機能、電話回線制御部２１から入力した音声信号を無線部２３へ出力する機能等を有する。又、音声信号処理部２２は、制御部２４からの制御信号に基づいて、上述した音声通路の切換を行う。
【００１７】
無線部２３は、アンテナ２９と接続されており、アンテナ２９を介して子機３０、４０、５０から受信した信号の復調や、子機３０、４０、５０へ送信する信号の変調等を行う。
【００１８】
制御部２４は、親機２０内部の各回路と接続されており各回路の制御を司る。制御部２４は、後述するＲＯＭ（Ｒｅａｄ  Ｏｎｌｙ  Ｍｅｍｏｒｙ）２４２に格納されているシステムプログラムに基づいて各回路の制御を行う。
【００１９】
ＲＯＭ２４２は、制御部２４が動作するためのシステムプログラムを格納している。
【００２０】
ＲＡＭ（Ｒａｎｄｏｍ  Ａｃｃｅｓｓ  Ｍｅｍｏｒｙ）２４３には、電話番号と氏名が対で複数格納されている電話帳の情報や、発呼履歴や着信履歴の情報、特定相手からの電話番号等の各種情報が格納されており、又、ＲＡＭには、おやすみモードに関連する情報も格納されている。おやすみモードに関連する情報とは、現在装置がおやすみモードになっているか否かを示すフラグであるおやすみモードフラグと、当該おやすみモードフラグがオンとなっている際に着信音を鳴らさないようにする時間帯の情報（例えば、夜の１１時から朝の７時といった情報）と、おやすみモードフラグがオンとなっている状態で、緊急の着信に対して着信音を鳴動する端末（親機２０、あるいは子機３０〜５０のいずれか又はこれら全て）の情報が格納されている。
【００２１】
具体的には、図４に示すように、電話番号とその電話番号からの着信があると着信を鳴動する端末（親機２０、あるいは子機３０〜５０のいずれか又はこれら全て）の情報が格納されている。例えば、電話番号「０９０−××××−○○○○」には○が付されている端末である親機２０が対応付けられており、おやすみモード中に電話番号「０９０−××××−○○○○」から着信があると親機２０のみ着信を鳴動し、子機３０〜５０からは着信音が鳴動されない。言うまでもないが、図４は説明しやすいように記載した図であり、実際には、電話番号の情報と端末の情報とが対応付けられて２値のバイナリデータでＲＡＭ２４２に格納されている。尚、おやすみモードフラグと、時間帯の情報は図４にて図示していない。
【００２２】
ハンドセット２５は、音声信号処理部２２と接続され、スピーカー２５１とマイク２５２からなり、マイク２５２から入力された音声信号はアンプ２５４で増幅された後に音声信号処理部２２へ入力される。一方、音声信号処理部２２からの音声信号はアンプ２５３で増幅された後にスピーカー２５１から出力される。又、音声信号処理部２２からの音声信号は、スピーカー２５５より着信音として出力される。
【００２３】
表示部２６は、制御部２４と接続され、例えばＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）ディスプレイ等から構成される表示ユニットであり、着信相手側の電話番号や氏名、通話時間を表示する。
【００２４】
入力部２７は、制御部２４と接続され、図示せぬテンキー、メニュー決定キー、通話キー、子機呼び出しキー、おやすみモード設定キー等を有する。
【００２５】
フック検出部２８は、制御部２４と接続され、ハンドセット２５のオンフックやオフフックを検出する。
【００２６】
次に、子機３０の回路構成について図３を用いて説明する。
【００２７】
音声信号処理部３２は、制御部３４、スピーカー３５１、マイク３５２と接続され、無線部３３から入力した音声信号をスピーカー３５１に送出する機能や、マイク３５２から入力した音声信号を無線部３３へ送信する機能等を有する。又、音声信号処理部３２は制御部３４からの制御信号に基づいて、上述した音声通路の切換を行う。
【００２８】
無線部３３は、アンテナ３８と接続されており、アンテナ３８を介して親機２０から受信した信号の復調や、親機２０へ送信する信号の変調等を行う。
【００２９】
制御部３４は、子機３０内部の各回路と接続されており各回路の制御を司る。制御部３４は、後述するＲＯＭ３７１に格納されているプログラムに基づいて各回路の制御を行う。
【００３０】
音声信号処理部３２からの音声信号は、着信音としてスピーカー３５１から出力される。
【００３１】
ＲＯＭ３７１は、制御部３４を駆動させる為の制御プログラムを格納しており、ＲＡＭ３７２は、例えば電話番号と氏名の対を複数格納する電話帳機能や、着信履歴のデータ、特定相手からの電話番号等を格納する機能を有する。
【００３２】
表示部３６１は、制御部３４と接続され、電話番号や相手側の氏名、通話時間等を表示する。
【００３３】
入力部３６２は、制御部３４と接続され、図示せぬテンキー、通話キー、切キー、機能キー等の各種キーを有する。
【００３４】
尚、子機４０、５０については子機３０と同一の回路構成のため、説明は省略する。
【００３５】
次に、親機２０において、待受中におやすみモードの起動設定後、特定相手の電話番号を登録し、呼び出し先の端末を設定するための各種設定手順を図５のフロー図に基づいて説明する。尚、おやすみモードとは夜中等の就寝時といったユーザが設定した時間帯に着信音を鳴動させない機能である。
【００３６】
Ｓ１１ステップにおいて、待受中に制御部２４は、入力部２７からおやすみモード設定操作があると、設定された情報をＲＡＭ２４３に格納する。
【００３７】
具体的には、制御部２４は、入力部２７からの操作に基づいてＲＡＭ２４３に格納されているおやすみモードのフラグをオンすると共に、ＲＡＭ２４３におやすみモードを開始する時刻と終了時刻の情報を格納する。このようにしておやすみモードの設定情報がＲＡＭ２４３に格納される。
【００３８】
次にＳ１２ステップにおいて、おやすみモードを実行している時間帯であっても着信音の鳴動を許可する相手先の電話番号の登録を行う。具体的には、制御部２４は、入力部２７から電話番号の入力操作があると判定すると、この電話番号をＲＡＭ２４３に格納する。
【００３９】
続いて、Ｓ１３ステップにおいて、Ｓ１２ステップにおいて登録した電話番号からの着信があると鳴動する親機、子機の設定処理を行う。具体的には、おやすみモード中に着信音の鳴動を許可する電話番号と端末の情報を対応づけてＲＡＭ２４３に格納する。例えば、図４に示すように、電話番号「０９０−××××−○○○○」には親機２０が対応付けられ、電話番号「０８０−△△△△−××××」には、親機２０と子機５０が対応付けられ、電話番号「０８５７−××−□□□□」には、子機３０と子機４０が対応付けられ、電話番号「０５０−○○○○−△△△△」には、全ての端末が対応付けられていない。例えば、電話番号「０９０−××××−○○○○」から着信があれば、おやすみモードであっても親機２０からのみ着信音が鳴動され、他の子機３０〜５０からは着信音が鳴動されない。
【００４０】
尚、本実施例では、入力部２７からの入力操作により、おやすみモードフラグのオン、オフの設定を可能としているが、おやすみモードフラグのオン、オフ専用のキー「おやすみモード設定キー」を設けており、このキーの押下によりオン、オフ設定を可能としている。
【００４１】
次に、図５に示す設定後、おやすみモードを起動中に予め設定した電話番号からの着信があった際の動作について図６のフロー図を参照して説明する。
【００４２】
Ｓ２１ステップにおいて、制御部２４は、電話回線制御部２１が公衆回線Ｌから着信信号を検出したと判定すると、Ｓ２２ステップへ処理を進める。
【００４３】
続くＳ２２ステップにおいて、制御部２４は、ＲＡＭ２４３に格納されているおやすみモードフラグがオンに設定されていると判定すると、Ｓ２４ステップへ処理を進め、そうでなければ、Ｓ２３ステップへ処理を進める。
【００４４】
Ｓ２３ステップでは、制御部２４は、スピーカー２５５から着信音を鳴動するように制御すると共に、無線部２３を制御することにより、全ての子機に対して着信音の鳴動指示を示す信号を無線により送信する。子機の制御部３４は、無線部３３が親機からの着信音の鳴動指示を示す信号を受信したと判定すると、スピーカー３５１から着信音を鳴動させる。即ち、Ｓ２３ステップでは、親機と全ての子機から着信音が鳴動されることになる。この後、図示していないが、通常の着信応答、通話、通話終了処理が行われた後に待機状態となる。
【００４５】
Ｓ２４ステップにおいて、制御部２４は、電話回線制御部２１が回線Ｌから受信した相手先の電話番号と、ＲＡＭ２４３に予め格納されている電話番号（例えば、図４に示す「０９０−××××−○○○○」）とが一致したと判定すると、予め設定した電話番号からの着信であると判定し、Ｓ２６ステップへ処理を進め、一方、電話回線制御部２１が回線Ｌから受信した相手先の電話番号と、ＲＡＭ２４３に予め格納されている電話番号とが一致しない、或いは公衆電話、非通知等の相手先からの着信であると判定すると、Ｓ２５ステップへ処理を進める。
【００４６】
Ｓ２５ステップでは、制御部２４は、スピーカー２５５からの着信音の鳴動を禁止すると共に、子機への着信音の鳴動指示を示す無線信号の送信も禁止する。即ち、Ｓ２５ステップでは見かけ上、コードレス電話装置が通常の待機状態と同じ状態となっている。
【００４７】
Ｓ２６ステップでは、制御部２４は、Ｓ２４ステップで判定した特定の相手先の電話番号と対応する端末（親機、子機）の情報がＲＡＭ２４３に格納されているか否かを判定する。例えば、Ｓ２４ステップで特定の電話番号（例えば、「０９０−××××−○○○○」）から着信があり、図４に示すように対応する端末が親機２０としてＲＡＭ２４３に設定されていれば、続くＳ２８ステップにおいて親機２０のみから着信音を鳴動させる。又、Ｓ２４ステップで特定の電話番号（例えば、「０５０−○○○○−△△△△」）から着信があったとしても、図４に示すように対応する端末がＲＡＭ２４３に設定されていない場合はＳ２７ステップに処理を進める。
【００４８】
Ｓ２７ステップでは、制御部２４は、着信音の鳴動を許可する相手先の電話番号と対応する端末がＲＡＭ２４３に設定されていないと判定し、親機２０と子機３０〜５０全ての端末からの着信音の鳴動を禁止する。
【００４９】
Ｓ２８ステップでは、制御部２４は、Ｓ２４ステップで判定した特定の相手先の電話番号と対応する端末（親機、子機）のみ着信音の鳴動を許可する。例えば、Ｓ２４ステップで特定の電話番号（例えば、「０９０−××××−○○○○」）から着信があり、Ｓ２６ステップにおいて、対応する端末が親機２０としてＲＡＭ２４３に設定されていれば（図４参照）、このＳ２８ステップにおいて親機２０のみから着信音を鳴動させる。
【００５０】
以上、本実施例装置では、おやすみモード中に予め設定した電話番号から着信があれば、予め設定した電話番号に対応する端末のみからの着信音の鳴動を許可する。
【００５１】
本実施例装置を用いれば、例えば、親機２０を居間に置き、子機３０を子供部屋、子機４０をお年寄りの部屋へ置き、子機５０を親の部屋へ置いておいた場合に、おやすみモードが起動中に特定の相手からの電話着信があった場合に、親機２０と子機５０だけ着信音を鳴動させ、子機３０と子機４０の着信音の鳴動を禁止する様に使用することができる。
【００５２】
このように使用すると、夜早く就寝する子供やお年寄りの部屋の子機３０、４０は着信音を鳴らさないので睡眠を妨げることはなく、着信を知らせる必要がある親機２０、子機５０には着信音を鳴動させることが出来るので、家族全員が寝ている時間帯であっても、緊急の相手先からの着信に対しては真に応答すべき家族の一員のみが着信音を聞き、着信に応答することができる。
【符号の説明】
【００５３】
１０・・・コードレス電話装置
２０・・・親機
２１・・・電話回線制御部
２２・・・音声信号処理部
２３・・・無線部
２４・・・制御部
２５５・・スピーカー
２６・・・表示部
２７・・・入力部
２８・・・フック検出部
２９・・・アンテナ
３０、４０、５０・・・子機
３２・・・音声信号処理部
３３・・・無線部
３４・・・制御部
２４３・・・ＲＡＭ
３５１・・スピーカー
【図１】
2012070290.tif 000003
【図２】
2012070290.tif 000004
【図３】
2012070290.tif 000005
【図４】
2012070290.tif 000006
【図５】
2012070290.tif 000007
【図６】
2012070290.tif 000008